(57)【要約】【課題】外部環境の影響を受ける位置に取り付ける場合でもその影響を受け難く、かつ二部材の内外周端部間の距離が短くとも取り付け可能な磁気式回転センサにする。【解決手段】第一部材３の一側面部１０に取り付けるセンサホルダ１２は、第一部材３の一側面部１０に軸方向に重なる環状のハウジング部１５にセンサ基板部１６を固定したものとする。第二部材４の一側面部１１に取り付けるエンコーダ１３は、第二部材４の一側面部１１に軸方向に重なる環状のベース部２５からハウジング部１５の側方へ延びる外向きフランジ部２６と、磁気トラック部２７とを有する。キャップ１４の筒部３３をハウジング部１５の外周２２に取り付けると、キャップ１４の内向きフランジ部３４が外向きフランジ部２６の側方に位置し、キャップ１４とエンコーダ１３とによってラビリンス通路３５が形成される。【選択図】図１
2019060865.tif 000002
【特許請求の範囲】
【請求項１】
第一部材の軸方向一方側の一側面部に取り付け可能なセンサホルダと、前記第一部材に対して相対的に回転する第二部材の軸方向一方側の一側面部に取り付け可能なエンコーダと、前記センサホルダに取り付け可能なキャップとを備え、
前記センサホルダが、前記第一部材の一側面部に軸方向に重なる環状のハウジング部と、前記ハウジング部に固定されたセンサ基板部とを有し、前記センサ基板部が、基板と、前記基板に固定された磁気センサ素子とを有し、
前記エンコーダが、前記第二部材の一側面部に軸方向に重なる環状のベース部と、前記ベース部から前記ハウジング部の軸方向一方側の側方へ延びる外向きフランジ部と、前記磁気センサ素子と磁気ギャップをおいて対向する磁気トラック部とを有し、
前記キャップが、前記ハウジング部の外周に取り付け可能な筒部と、前記筒部から前記外向きフランジ部の軸方向一方側の側方へ延びる内向きフランジ部とを有し、
前記キャップと前記エンコーダとによって、前記内向きフランジ部と前記外向きフランジ部間を通るラビリンス通路が形成される磁気式回転センサ。
【請求項２】
前記磁気トラック部が、前記外向きフランジ部に固着されており、前記磁気センサ素子が、前記磁気トラック部と軸方向に対向する前記ハウジング部の一側面と同一面を成すように配置されている請求項１に記載の磁気式回転センサ。
【請求項３】
前記外向きフランジ部が、前記ベース部の外周に嵌る環状の芯金からなり、
前記磁気トラック部が、前記外向きフランジ部に固着された磁性ゴム材料からなり、
前記キャップ、前記外向きフランジ部及び前記ベース部が、それぞれ磁性材からなる請求項１又は２に記載の磁気式回転センサ。
【請求項４】
１８０°回転対称に配置された対の前記磁気センサ素子が前記ハウジング部に固定されている請求項１から３のいずれか１項に記載の磁気式回転センサ。
【請求項５】
互いに異なる位相で１８０°回転対称に配置された複数対の前記磁気センサ素子が前記ハウジング部に固定されている請求項１から４のいずれか１項に記載の磁気式回転センサ。
【請求項６】
前記対の磁気センサ素子が、それぞれ四角形状であり、
前記ハウジング部が、１８０°回転対称に配置された対のセンサ窓を有し、
前記対のセンサ窓が、それぞれ前記磁気センサ素子の一角を基準として当該磁気センサ素子を配置可能な一角を有する形状である請求項４又は５に記載の磁気式回転センサ。
【請求項７】
請求項１から６のいずれか１項に記載の磁気式回転センサと、軸受とを備え、
前記軸受が、前記第一部材を構成する外輪と、前記第二部材を構成する内輪とを有する回転センサ付き軸受。
【請求項８】
前記軸受が、前記第一部材と前記第二部材との間に直交配列された複数のローラを有するクロスローラ軸受からなる請求項７に記載の回転センサ付き軸受。
【請求項９】
請求項１から６のいずれか１項に記載の磁気式回転センサが出力部の回転を検出するように構成されたアクチュエータ。
【請求項１０】
請求項１から６のいずれか１項に記載の磁気式回転センサの取付け方法であって、
前記第一部材と前記センサホルダのハウジング部とを軸方向にねじ締結するセンサホルダ取付け工程と、
前記センサホルダ取付け工程後、前記第二部材と前記エンコーダのベース部とを軸方向にねじ締結するエンコーダ取付け工程と、
前記エンコーダ取付け工程後、前記キャップの筒部と前記センサホルダのハウジング部の外周とを嵌合するキャップ取付け工程と、
を有する磁気式回転センサの取付け方法。
【発明の詳細な説明】
【技術分野】
【０００１】
この発明は、第一部材に対する第二部材の相対的な回転を検出する磁気式回転センサ、その磁気式回転センサを軸受に取り付けた回転センサ付き軸受、その磁気式回転センサを備えるアクチュエータ、及びその磁気式回転センサの取付け方法に関する。
【背景技術】
【０００２】
磁気式回転センサは、一般に、第一部材側に固定する磁気センサ素子と、第二部材側に固定する磁気トラックとを有する。磁気トラックと磁気センサ素子は、磁気ギャップをおいて対向するように配置される。第一部材と第二部材との間の相対回転に応じて、磁気センサ素子で感知される磁気トラックの磁界が変化し、磁気センサ素子は、その変化を検出する。その検出信号に基づき、回転角度、回転量、回転速度等、回転運動に関する物理量が測定される（例えば、特許文献１）。
【０００３】
第一部材、第二部材に磁気式回転センサを取り付ける構造として、嵌合構造が広く採用されている（例えば、特許文献２）。
【０００４】
特許文献２の磁気式回転センサは、第一部材に固定されるセンサホルダと、第二部材に固定されるエンコーダとを備える。センサホルダは、環状カバー部と、環状カバー部の内側面に嵌合された環状のハウジング部と、ハウジング部に固定されたセンサ基板部とを有する。センサ基板部は、回路基板と、その回路基板に固定された磁気センサ素子とを有する。エンコーダは、環状の芯金部と、芯金部の外周に固着された磁性ゴム材製の磁気トラック部とを有する。第一部材は軸受の外輪からなり、第二部材は軸受の内輪からなる。先ず、エンコーダの芯金部の内周端部を第二部材の外周一端部に嵌合することにより、第二部材に対して磁気トラック部が所定位置に配置される。次に、センサホルダの環状カバー部の外周端部を第一部材の内周一端部に嵌合することにより、第一部材、磁気トラック部に対して磁気センサ素子が所定位置に配置され、また、センサホルダとエンコーダとの間にラビリンス通路が形成される。
【先行技術文献】
【特許文献】
【０００５】
【特許文献１】特開２０１５−２１７４１号公報
【特許文献２】特許第５２１４８６９号公報
【発明の概要】
【発明が解決しようとする課題】
【０００６】
アクチュエータ等の出力部はアクチュエータの外部に位置するため、磁気式回転センサで出力部の回転検出を行う場合には、外部環境の影響を受ける恐れがある。
【０００７】
特許文献２の磁気式回転センサは、異物侵入をラビリンス通路のシール効果で防止できるので、外部環境の影響を受け難いが、環状カバー部の外周端部を第一部材（外輪）の内周端部に嵌合し、芯金部の内周端部を第二部材（内輪）の外周端部に嵌合する取り付け構造となっている。このため、第一部材の内周端部と第二部材の外周端部との間には、環状カバー部の端部及び芯金部の端部を配置できる距離が必要である。ところが、ロボット関節のアクチュエータの出力に使用されるクロスローラ軸受のように、外輪の内周端部と内輪の外周端部との間の距離が非常に短い場合、特許文献２の磁気式回転センサを取り付けることができない問題がある。
【０００８】
上述の背景に鑑み、この発明が解決しようとする課題は、外部環境の影響を受ける位置に取り付ける場合でもその影響を受け難く、かつ二部材の内外周端部間の距離が短くとも取り付け可能な構造の磁気式回転センサを提供することである。
【課題を解決するための手段】
【０００９】
上記の課題を達成するため、この発明は、第一部材の軸方向一方側の一側面部に取り付け可能なセンサホルダと、前記第一部材に対して相対的に回転する第二部材の軸方向一方側の一側面部に取り付け可能なエンコーダと、前記センサホルダに取り付け可能なキャップとを備え、前記センサホルダが、前記第一部材の一側面部に軸方向に重なる環状のハウジング部と、前記ハウジング部に固定されたセンサ基板部とを有し、前記センサ基板部が、基板と、前記基板に固定された磁気センサ素子とを有し、前記エンコーダが、前記第二部材の一側面部に軸方向に重なる環状のベース部と、前記ベース部から前記ハウジング部の軸方向一方側の側方へ延びる外向きフランジ部と、前記磁気センサ素子と磁気ギャップをおいて対向する磁気トラック部とを有し、前記キャップが、前記ハウジング部の外周に取り付け可能な筒部と、前記筒部から前記外向きフランジ部の軸方向一方側の側方へ延びる内向きフランジ部とを有し、前記キャップと前記エンコーダとによって、前記内向きフランジ部と前記外向きフランジ部間を通るラビリンス通路が形成される構成を採用したものである。
【００１０】
上記構成によれば、センサホルダ、エンコーダの取付け先が対応の第一部材、第二部材の一側面部であり、キャップの取付け先がセンサホルダであるから、これらセンサホルダ、エンコーダ、キャップを第一部材の内周端部と第二部材の外周端部間に配置せずに済み、これら二部材の内外周端部間の距離が短くとも磁気式回転センサを取り付けることが可能である。さらに、これらセンサホルダ、エンコーダを対応の第一部材、第二部材の一側面部に取り付け、キャップの筒部をセンサホルダのハウジング部の外周に取り付けると、キャップの内向きフランジ部とエンコーダの外向きフランジ部との間を通るラビリンス通路が形成されるので、外部環境の影響を受け難い構造となる。
【００１１】
例えば、前記磁気トラック部が、前記外向きフランジ部に固着されており、前記磁気センサ素子が、前記磁気トラック部と軸方向に対向する前記ハウジング部の一側面と同一面を成すように配置されているとよい。このようにすると、ハウジング部の一側面と、磁気トラック部間の距離を磁気ギャップ程度に狭くし、シール効果をより高めることができる。
【００１２】
また、前記外向きフランジ部が、前記ベース部の外周に嵌る環状の芯金からなり、前記磁気トラック部が、前記外向きフランジ部に固着された磁性ゴム材料からなり、前記キャップ、前記外向きフランジ部及び前記ベース部が、それぞれ磁性材からなるものでもよい。このようにすると、芯金に加硫成型で固着した一般的な磁気トラック部を採用することができ、また、キャップと、外向きフランジ部及びベース部により磁気シールドを構築し、外部環境の磁界の影響を受け難くすることができる。
【００１３】
１８０°回転対称に配置された対の前記磁気センサ素子が前記ハウジング部に固定されているとよい。このようにすると、対の磁気センサ素子の検出値を平均化することが可能になる。その平均化を行えば、二部材間の回転運動に関する物理量の検出精度を向上させることができる。
【００１４】
互いに異なる位相で１８０°回転対称に配置された複数対の前記磁気センサ素子が前記ハウジング部に固定されているとよい。このようにすると、各対の磁気センサ素子の検出値を用いて平均化を行うことが可能になる。ひいては、二部材間の回転運動に関する物理量の検出精度をより向上させることができる。
【００１５】
前記対の磁気センサ素子が、それぞれ四角形状であり、前記ハウジング部が、１８０°回転対称に配置された対のセンサ窓を有し、前記対のセンサ窓が、それぞれ前記磁気センサ素子の一角を基準として当該磁気センサ素子を配置可能な一角を有する形状であることがより好ましい。このようにすると、一般的な四角形状の磁気センサ素子を採用し、その一角を利用して対の磁気センサ素子を１８０°回転対称に正確に配置することができる。
【００１６】
この発明に係る磁気式回転センサと、軸受とを備え、前記軸受が、前記第一部材を構成する外輪と、前記第二部材を構成する内輪とを有する回転センサ付き軸受に構成してもよい。
【００１７】
例えば、前記軸受が、前記第一部材と前記第二部材との間に直交配列された複数のローラを有するクロスローラ軸受からなる。
【００１８】
この発明に係る磁気式回転センサが出力部の回転を検出するように構成されたアクチュエータとしてもよい。このようにすると、アクチュエータの位置決め精度の向上を図ることができる。また、光式回転センサの場合、外部光やほこりなどの侵入を防止するため、接触シールの使用が必要になり、シールの緊縛力に対応のシールの取付け強度を得るために構造が大きくなると共にトルクロスもある。これに対して、磁気式回転センサを採用すれば、ほこり等の影響を無視できるので、接触シールを不要とし、トルクロスも無くすことが可能になる。
【００１９】
この発明に係る磁気式回転センサの取付け方法としては、例えば、前記第一部材と前記センサホルダのハウジング部とを軸方向にねじ締結するセンサホルダ取付け工程と、前記
センサホルダ取付け工程後、前記第二部材と前記エンコーダのベース部とを軸方向にねじ締結するエンコーダ取付け工程と、前記エンコーダ取付け工程後、前記キャップの筒部と前記センサホルダのハウジング部の外周とを嵌合するキャップ取付け工程と、を有する磁気式回転センサの取付け方法を採用することができる。
【発明の効果】
【００２０】
この発明は、上記構成の採用により、外部環境の影響を受ける位置に取り付ける場合でもその影響を受け難く、かつ二部材の内外周端部間の距離が短くとも取り付け可能な構造の磁気式回転センサを提供することができる。
【図面の簡単な説明】
【００２１】
【図１】この発明の第一実施形態に係る磁気式回転センサを備える回転センサ付き軸受を示す縦断正面図
【図２】図１の回転センサ付き軸受の分解図
【図３】（ａ）図２のセンサホルダの一側面部を示す斜視図、（ｂ）図２のセンサホルダの他側面部を示す斜視図、（ｃ）図２のセンサホルダに固定されるセンサ基板部を示す斜視図
【図４】（ａ）図２のエンコーダのベース部と外向きフランジ部の嵌合工程を示す断面図、（ｂ）図４（ａ）の嵌合工程で用いるスペーサ治具の側面図
【図５】この発明の第二実施形態に係る磁気式回転センサのハウジング部を示す斜視図
【図６】この発明の第三実施形態に係る磁気式回転センサのハウジング部を示す斜視図
【図７】第三実施形態に係る磁気式回転センサを備えるアクチュエータを示す断面図
【発明を実施するための形態】
【００２２】
この発明の一例としての第一実施形態を添付図面に基づいて説明する。第一実施形態に係る回転センサ付き軸受を図１に示す。この回転センサ付き軸受の分解状態を図２に示す。
【００２３】
この回転センサ付き軸受は、磁気式回転センサ１と、軸受２とを備える。
【００２４】
磁気式回転センサ１は、第一部材３に対する相対的な第二部材４の回転に応じた検出信号を出力するものである。
【００２５】
軸受２は、第一部材３を構成する外輪と、第二部材４を構成する内輪とを有する。第一部材３は、この回転センサ付き軸受の取り付け相手となる他装置のハウジング（図示省略）に取り付けられる。他装置に駆動される第二部材４が、静止する第一部材３に対して相対的に回転することになる。
【００２６】
以下、「軸方向」は、第一部材３と第二部材４の相対回転の回転軸線（設計上、軸受２の軸受中心軸に一致）に沿った方向のことをいう。また、その回転軸線に対して直角な方向のことを「径方向」といい、その回転軸線回りの円周方向のことを「周方向」という。
【００２７】
軸受２は、第一部材３と第二部材４との間に直交配列された複数のローラ５を有するクロスローラ軸受からなる。複数のローラ５は、第一部材３の内周に形成されたＶ溝状の軌道６と、第二部材４の外周に形成されたＶ溝状の軌道７との間に介在する。周方向に隣り合うローラ５同士の中心軸は、互いに直交する向きであり、いずれのローラ５の中心軸も軸方向に対して４５°傾斜している。
【００２８】
第一部材３、第二部材４は、それぞれボルト穴付き軌道輪になっている。第一部材３に形成されたボルト穴８、第二部材４に形成されたボルト穴９は、それぞれ対応の第一部材３、第二部材４の軸方向一方側（図中左側）の一側面部１０、１１から対応の第一部材３、第二部材４を軸方向に貫通している。ボルト穴８、９は、それぞれ周方向に均等な間隔で複数箇所に形成されている。第一部材３の一側面部１０、第二部材４の一側面部１１は、それぞれ径方向に沿った平坦面となっている。
【００２９】
第一部材３、第二部材４、ローラ５は、それぞれ鋼によって形成されている。
【００３０】
磁気式回転センサ１は、第一部材３の一側面部１０に取り付け可能なセンサホルダ１２と、第二部材４の一側面部１１に取り付け可能なエンコーダ１３と、センサホルダ１２に取り付け可能なキャップ１４とを備える。
【００３１】
センサホルダ１２は、第一部材３の一側面部１０に軸方向に重なる環状のハウジング部１５と、ハウジング部１５に固定されたセンサ基板部１６とを有する。
【００３２】
センサ基板部１６は、図１、図３（ａ）〜（ｃ）に示すように、基板１７と、基板１７に固定された磁気センサ素子１８とを有する。基板１７は、回路基板になっている。磁気センサ素子１８は、磁界の変化を電気信号に変換する１つ以上のセンサ回路、センサ回路の電気信号を処理して検出信号を出力する信号処理回路等を１つにまとめた集積回路になっている。基板１７には、他装置との間の信号入出力、他装置からの電源供給に用いるコード１９が接続されている。
【００３３】
ハウジング部１５は、ハウジング部１５の軸方向一方側の端部に位置する一側面２０と、ハウジング部１５の軸方向他方側の端部に位置する他側面２１と、周方向全周に連続する円環状の外周２２と、センサ基板部１６を収容する基板固定部２３とを有する。
【００３４】
ハウジング部１５の一側面２０、他側面２１は、それぞれ径方向に沿った平坦面となっている。ハウジング部１５の他側面２１は、第一部材３の一側面部１０と周方向全周で軸方向に接する。
【００３５】
ハウジング部１５には、第一部材３のボルト穴８に対応の配置で複数のボルト穴２４が形成されている。ハウジング部１５のボルト穴２４は、ハウジング部１５の一側面２０からハウジング部１５を軸方向に貫通している。
【００３６】
基板固定部２３は、ハウジング部１５の他側面２１から軸方向一方側へ凹み、その凹底面の中央位置でハウジング部１５の一側面２０に開口した形状になっている。基板固定部２３は、センサ基板部１６の基板１７を径方向に沿う姿勢に支持する。基板固定部２３に支持されたセンサ基板部１６の磁気センサ素子１８は、基板固定部２３の開口に嵌っている。この磁気センサ素子１８のパッケージ端面は、ハウジング部１５の一側面２０と同一面を成すように配置されている。基板１７は、基板固定部２３にねじ止めされている。絶縁材のモールドでセンサ基板部１６を基板固定部２３に封止してもよい。
【００３７】
図１、図２に示すように、エンコーダ１３は、第二部材４の一側面部１１に軸方向に重なる環状のベース部２５と、ベース部２５からハウジング部１５の軸方向一方側の側方へ延びる外向きフランジ部２６と、磁気センサ素子１８と磁気ギャップｇをおいて対向する磁気トラック部２７とを有する。
【００３８】
ベース部２５は、ベース部２５の軸方向他方側の端部に位置する他側面２８と、第二部材４の内周端部に嵌合する端部外周面２９とを有する中空軸状になっている。ベース部２５の中空穴は、他装置の軸、配線等を通すために利用することができる。
【００３９】
ベース部２５の他側面２８は、径方向に沿った平坦面となっている。ベース部２５の他側面２８は、第二部材４の一側面部１１と周方向全周で軸方向に接する。ベース部２５の端部外周面２９は、第二部材４の内周端部との嵌合により、エンコーダ１３を第二部材４と同軸に配置するためのものである。
【００４０】
ベース部２５には、第二部材４のボルト穴９に対応の配置で複数のボルト穴３０が形成されている。ベース部２５のボルト穴３０は、ベース部２５の軸方向一方側の一側面からベース部２５を軸方向に貫通している。
【００４１】
外向きフランジ部２６は、ベース部２５の外周に嵌る環状の芯金からなる。外向きフランジ部２６は、軸方向に延びる円筒部と、この円筒部の端から径方向に延びる側板部とを有する断面Ｌ形のプレス成形品になっている。外向きフランジ部２６は、その側板部の軸方向一方側の板面からなる一側面３１と、その側板部の軸方向他方側の板面からなる他側面３２とを有する。
【００４２】
外向きフランジ部２６の一側面３１、他側面３２は、それぞれ径方向に沿った平坦面となっている。外向きフランジ部２６の外径は、ハウジング部１５の外径よりも小さい。
【００４３】
磁気トラック部２７は、外向きフランジ部２６に固着されている。磁気トラック部２７は、周方向に交互にＮ極とＳ極とを有する円環状になっている。磁気トラック部２７は、磁気センサ素子１８及びハウジング部１５の一側面２０との間に隙間をおいて軸方向に対向する。その隙間は、周方向全周で磁気ギャップｇと同等である。第一部材３に対して第二部材４が回転すると、磁気センサ素子１８によって感磁される磁気トラック部２７の磁界が当該回転に応じて変化し、磁気センサ素子１８が当該回転に応じた出力信号を生成する。
【００４４】
磁気トラック部２７は、外向きフランジ部２６の他側面３２に固着された磁性ゴム材料からなる。磁気トラック部２７は、外向きフランジ部２６の他側面３２に加硫成型されている。
【００４５】
上述のようなエンコーダ１３として、回転角度検出に好適な特許文献１に開示された構造を採用してもよく、具体的には、ベース部２５を焼結金属で形成し、ベース部２５の外周における外向きフランジ部２６との嵌め合い面、第二部材４の一側面部１１に当接する他側面２８、第二部材４の内周端部に嵌合する端部外周面２９等を適宜にサイジングして、円筒度、平面度等の表面精度を適宜に向上させ、エンコーダ１３の振れ回りを低コストに抑制してもよい。
【００４６】
キャップ１４は、ハウジング部１５の外周２２に取り付け可能な筒部３３と、筒部３３から外向きフランジ部２６の軸方向一方側の側方へ延びる内向きフランジ部３４とを有する。
【００４７】
キャップ１４の筒部３３は、周方向全周に連続し、軸方向に延びている。内向きフランジ部３４は、筒部３３の軸方向一方側の端から径方向に延びている。キャップ１４は、断面Ｌ形のプレス成形品になっている。
【００４８】
キャップ１４の筒部３３の内径は、外向きフランジ部２６の外径よりも大きい。筒部３３は、外向きフランジ部２６との間に隙間をおいて径方向に対向する。内向きフランジ部３４の内径は、外向きフランジ部２６の外径の半分未満であり、外向きフランジ部２６の円筒部の外径よりも大きい。内向きフランジ部３４は、外向きフランジ部２６の一側面３１との間に隙間をおいて軸方向に対向する。
【００４９】
キャップ１４とエンコーダ１３とによって、内向きフランジ部３４と外向きフランジ部２６間を通るラビリンス通路３５が形成される。ラビリンス通路３５は、内向きフランジ部３４と外向きフランジ部２６の一側面３１との間を径方向に通り、内向きフランジ部３
４と外向きフランジ部２６の円筒部外周との間を軸方向に通っている。内向きフランジ部３４と、外向きフランジ部２６の一側面３１との間の軸方向の隙間は、内向きフランジ部３４と、外向きフランジ部２６の円筒部外周との間の径方向の隙間よりも小さい。ラビリンス通路３５は、外部環境からの異物が磁気ギャップｇへ侵入することを防ぐシール効果を奏する（ラビリンスシール）。
【００５０】
ハウジング部１５の一側面２０及び磁気センサ素子１８と、磁気トラック部２７とによって、磁気ギャップｇ程度の軸方向の隙間が周方向全周に形成される。この磁気ギャップｇ相当の隙間は、キャップ１４の筒部３３と外向きフランジ部２６との間の径方向の隙間よりも小さく、ラビリンス通路３５に比して高圧の流体通路となるので、ラビリンス通路３５のシール効果を高める。
【００５１】
キャップ１４、外向きフランジ部２６及びベース部２５は、それぞれ磁性材からなる。キャップ１４と、外向きフランジ部２６及びベース部２５により磁気シールドが構築される。外部から到来する磁力線は、キャップ１４やベース部２５に入り、その内部を進むので、磁気トラック部２７、磁気ギャップｇ、磁気センサ素子１８を迂回する。このため、磁気センサ素子１８による感磁において外部環境の磁界の影響が受け難くなる。
【００５２】
磁気式回転センサ１を第一部材３と第二部材４に取り付ける方法を説明する。
【００５３】
先ず、センサホルダ取付け工程について説明する。この工程は、センサホルダ１２の組み立てを終えた状態で実施する。図２に示すように、センサホルダ１２を芯出し治具Ｊ１に嵌合し、芯出し治具Ｊ１と軸受２の第二部材４の内周とを嵌合することにより、図１に示すようにセンサホルダ１２と第一部材３とを同軸に配置して、センサホルダ１２のハウジング部１５の他側面２１と第一部材３の一側面部１０とを軸方向に突き当てた状態とする。この突き当て状態で、センサホルダ１２の各ボルト穴２４、第一部材３の各ボルト穴８を用いて、第一部材３とセンサホルダ１２のハウジング部１５とを、ボルト（図示省略）で軸方向にねじ締結することにより、固定する。この固定により、センサホルダ１２が第一部材３の一側面部１０に取り付けられた状態となる。
【００５４】
センサホルダ取付け工程後、エンコーダ取付け工程を実施する。この工程は、図２に示すように、エンコーダ１３の組み立てを終えた状態で行う。エンコーダ１３の端部外周２９と、第二部材４の内周端部とを図１に示すように嵌合することにより、エンコーダ１３と第二部材４とを同軸に配置して、エンコーダ１３のベース部２５の他側面２８と第二部材４の一側面部１１とを軸方向に突き当てた状態とする。この突き当て状態で、エンコーダ１３の各ボルト穴３０、第二部材４の各ボルト穴９を用いて、第二部材４とエンコーダ１３のベース部２５とを、ボルト（図示省略）で軸方向にねじ締結することにより、固定する。この固定により、エンコーダ１３が第二部材４の一側面部１１に取り付けられた状態となり、磁気センサ素子１８と磁気トラック部２７とが磁気ギャップｇをおいて対向する。
【００５５】
エンコーダ取付け工程後、キャップ取付け工程を実施する。この工程では、キャップ１４の筒部３３と、センサホルダ１２のハウジング部１５の外周２２とを軸方向に嵌合することにより、キャップ１４とセンサホルダ１２とを同軸に配置する。ここで、キャップ１４の筒部３３とハウジング部１５の外周２２とを強制的に嵌合することにより、キャップ１４をハウジング部１５の外周２２に固定する。これにより、キャップ１４がセンサホルダ１２に取り付けられた状態となり、ラビリンス通路３５が形成される。なお、キャップ１４をハウジング部１５の外周２２に固定する手段は、他の手段でもよく、例えば、接着でよい。
【００５６】
上述のエンコーダ１３の組み立て工程では、外向きフランジ部２６の円筒部内周とベース部２５の外周とを強制的に嵌合することにより、外向きフランジ部２６がベース部２５に取り付けられる。この際、治具を用いて外向きフランジ部２６の固定位置を正確に管理しておけば、エンコーダ取付け工程の実施により、正確な磁気ギャップｇを確保することができる。例えば、図４（ａ）、（ｂ）に示すように、第二部材相当の外形部を有する嵌合治具Ｊ２とベース部２５とが嵌合し、かつ磁気ギャップ相当の板厚を有するスペーサ治具（シム）Ｊ３が磁気トラック部２７と嵌合治具Ｊ２との間に配置された状態で、外向きフランジ部２６とベース部２５の外周とを強制的に嵌合すればよい。なお、図示例では、ベース部２５の外周の半周以上に嵌合するスペーサ治具Ｊ３を用いたが、嵌合治具のみで磁気ギャップの量を管理してもよく、例えば、嵌合治具Ｊ２相当部とスペーサ治具Ｊ３相当部とが一体に形成された治具を用いてもよい。又は、嵌合治具Ｊ２を用いず第一部材にセンサホルダを組込み、第二部材にベース部を取付け後にセンサホルダにスペーサ治具Ｊ３を当てて外向きフランジ部をベース部にスペーサ治具Ｊ３に当接するまで圧入し、その後スペーサ治具Ｊ３を引抜いても良い。又は、嵌合治具Ｊ２を用いず第一部材にセンサホルダを組込み、第二部材にベース部を取付け後にセンサホルダにスペーサ治具Ｊ３を当てて外向きフランジ部をベース部にスペーサ治具Ｊ３に当接するまで圧入し、その後、スペーサ治具Ｊ３を引抜いても良い。
【００５７】
磁気式回転センサ１は、上述のようなものであり、第一部材３の内周端部と第二部材４の外周端部間の距離が僅かなクロスローラ軸受、アクチュエータ等へも磁気式回転センサ１を容易に取り付けることができる。また、磁気式回転センサ１は、これ自体でラビリンス通路３５や磁気シールドを構築し、外部環境の異物や磁気に対して磁気センサ素子１８等を防護することができる。このため、磁気式回転センサ１は、外部環境の影響を受ける位置に取り付ける場合、例えば、ロボット関節において、他装置の出力部の位置決め精度の向上を目的で出力部に取り付ける場合でもその異物や磁気の影響を受け難く、かつ二部材３、４の内外周端部間の距離が短くとも取り付け可能なものにすることができる。
【００５８】
また、磁気式回転センサ１は、ハウジング部１５の一側面２０と、磁気トラック部２７間の距離を磁気ギャップｇ程度に狭くし、シール効果をより高めることができる。
【００５９】
また、磁気式回転センサ１は、芯金に加硫成型で固着した一般的な磁気トラック部を採用することができ、また、その芯金で構成された外向きフランジ部２６をベース部２５に嵌合することにより、キャップ１４と、磁性材製の外向きフランジ部２６及びベース部２５により磁気シールドを構築し、外部環境の磁界の影響を受け難くすることができる。
【００６０】
前述のように、外向きフランジ部２６をハウジング部１５に嵌合冶具Ｊ２とスペーサ冶具Ｊ３を使用して磁気式回転センサを組み立てるとしても、外向きフランジ部２６を回転軸線に対して完全に傾き無く取り付けることは難しく、僅かに組立誤差が生じることは不可避である。また、センサホルダと外向きフランジ部の同軸度にも僅かな誤差が生じる。また、磁気トラック部２７自体の着磁精度もある程度の誤差が生じる。高精度の回転検出が必要な場合には、組立後の磁気式回転センサにおいて、それら誤差が検出精度に及ぼす悪影響について対応策を取ることが好ましい。第一実施形態では、磁気センサ素子１８を１個だけセンサホルダ１２のハウジング部１５に固定したが、ハウジング部に複数の磁気センサ素子を固定し、それら磁気センサ素子の出力を用いて前述の誤差の影響を抑え、検出精度の向上を図ることが可能である。その一例としての第二実施形態を図５に示す。なお、以下では、第一実施形態との相違点を述べるに留める。
【００６１】
第二実施形態におけるセンサホルダのハウジング部４０は、その一側面４１に開口する一対のセンサ窓４２，４３を有する。一対のセンサ窓４２，４３は、周方向に１８０°回転対称に配置されている。一対のセンサ窓４２，４３は、それぞれ前述の基板固定部の開口を成す部位である。各センサ窓４２，４３には、磁気センサ素子４４，４５が１個ずつ嵌っている。
【００６２】
一対の磁気センサ素子４４，４５は、それぞれ四角形状である（図３（ｃ）の磁気センサ素子１８を参照のこと）。ここで、磁気センサ素子が四角形状であるとは、パッケージ部が四角形状であることを意味する。パッケージ部は、感磁回路、信号処理回路等の構成要素である電子部品を包む外周器のことをいい、一般に、樹脂、金属等の封止材によって形成されている。
【００６３】
センサ窓４２は、磁気センサ素子４４の四角形状の一角を基準として磁気センサ素子４４を配置可能な一角を有する形状である。その磁気センサ素子４４とセンサ窓４２の対応の一角の位置を図５中に符号ａで示す。センサ窓４２の位置ａの一角を成す二辺と、磁気センサ素子４４の位置ａの一角を成す二辺とを接触させることにより、ハウジング部４０に対する磁気センサ素子４４の配置が径方向及び周方向に関して一定に定められる。
【００６４】
センサ窓４３は、センサ窓４２と周方向に１８０°回転対称の形状である。磁気センサ素子４５は、磁気センサ素子４４と同一構造のものである。したがって、センサ窓４３の位置ａの一角を成す二辺縁と、磁気センサ素子４５の位置ａの一角を成す二辺縁とを接触させることにより、ハウジング部４０に対する磁気センサ素子４５の配置が径方向及び周方向に関して一定に定められる。センサ窓４３及び磁気センサ素子４５の位置ａの一角は、センサ窓４２及び磁気センサ素子４４の位置ａの一角と周方向に１８０°回転対称の関係にあるから、それら位置ａを基準として一対のセンサ窓４２，４３に一対の磁気センサ素子４４，４５を配置することにより、一対の磁気センサ素子４４，４５が、周方向に１８０°回転対称に正確に配置される。
【００６５】
前述の外向きフランジ部の傾きや同軸度に基づく誤差は、前述の磁気トラック部の磁界を電気信号に変換する磁気センサ素子４４の検出において、真の値から正の誤差となり、周方向に１８０°反対側の位置で前述の磁気トラック部の磁界を電気信号に変換する磁気センサ素子４５の検出において、真の値から負の誤差となる。したがって、磁気センサ素子４４の検出値と磁気センサ素子４５の検出値を平均化すれば、前述の誤差を互いに吸収して検出精度の向上を図ることが可能である。なお、磁気センサ素子４４，４５の各出力は、それぞれに接続された前述のコードを経て処理回路（図示省略）に送信し、その処理回路において磁気センサ素子４４，４５の出力データを平均化して検出信号として出力することができる。その処理回路は、磁気式回転センサに搭載する必要はなく、例えば、アクチュエータの制御を行なう演算処理装置を処理回路としてもよい。
【００６６】
このように、第二実施形態に係る磁気式回転センサは、１８０°回転対称に配置された対の磁気センサ素子４４，４５がハウジング部４０に固定されているので、対の磁気センサ素子４４，４５の検出値を平均化することが可能になる。その平均化を行えば、磁気式回転センサの組立誤差の悪影響を緩和し、二部材（前述の第一部材と第二部材）間の回転運動に関する物理量の検出精度を向上させることができる。
【００６７】
また、第二実施形態に係る磁気式回転センサは、対の磁気センサ素子４４，４５がそれぞれ四角形状であり、ハウジング部４０が１８０°回転対称に配置された対のセンサ窓４２，４３を有し、対のセンサ窓４２，４３がそれぞれ磁気センサ素子４４，４５の一角を基準として当該磁気センサ素子４４，４５を配置可能な一角を有する形状であるので、一般的な四角形状の磁気センサ素子４４，４５を採用し、その一角を利用して対の磁気センサ素子４４，４５を１８０°回転対称に正確に配置することができる。
【００６８】
複数対の磁気センサ素子をハウジング部に固定して更に検出精度の向上を図ることも可能である。その一例としての第三実施形態を図６に示す。なお、ここでは、第二実施形態からの更なる変更点を述べるに留める。
【００６９】
第三実施形態に係るハウジング部５０は、その一側面５１に開口する複数対のセンサ窓５２〜５５を有する。各センサ窓５２〜５５には、磁気センサ素子５６〜５９が１個ずつ嵌っている。
【００７０】
第一対のセンサ窓５２，５３と、これらに嵌る第一対の磁気センサ素子５６，５７は、第二実施形態に相当するものであり、位置ａの一角を基準として磁気センサ素子５６，５７が配置されている。
【００７１】
第二対のセンサ窓５４，５５は、第一対のセンサ窓５２，５３とは異なる位相で周方向に１８０°回転対称に配置されている。第二対のセンサ窓５４，５５と、これらに嵌る第二対の磁気センサ素子５８，５９も、第二実施形態に相当するものであり、位置ｂの一角を基準として磁気センサ素子５８，５９が配置されている。
【００７２】
このように、第三実施形態に係る磁気式回転センサは、互いに異なる位相で１８０°回転対称に配置された複数対の磁気センサ素子５６〜５９がハウジング部５０に固定されているので、各対の磁気センサ素子５６〜５９の検出値を用いて平均化を行うことが可能になり、ひいては、二部材間の回転運動に関する物理量の検出精度をより向上させることができる。
【００７３】
上述の実施形態に係る磁気式回転センサをアクチュエータの出力部の位置検知として用いる場合の一例を図７に示す。
【００７４】
このアクチュエータは、減速機構６０と、環状の取付部材６１とを備える。取付部材６１の外周部に複数のねじ孔６１ａが形成されている。このアクチュエータは、それらねじ孔６１ａを利用してロボットアーム等の他装置内に固定されるようになっている。
【００７５】
減速機構６０として、楕円と真円の差動を利用した波動歯車装置が例示されている。減速機構６０は、中空の駆動モータ６２の主軸６３と回転伝達可能に連結されるウェイブジェネレータ６４と、ウェイブジェネレータ６４の径方向外側に配されるサーキュラースプライン６５と、ウェイブジェネレータ６４とサーキュラースプライン６５との間に大径部が挟まれるフレックススプライン６６とを備えている。
【００７６】
サーキュラースプライン６５は、その内周に歯が設けられた円環状の部品である。サーキュラースプライン６５は、取付部材６１を介して装置内で固定されている。サーキュラースプライン６５は、軸方向で取付部材６１と隣接するように配されている。駆動モータ６２のフランジ部と逆入力遮断機構６７の固定外輪６８とが、サーキュラースプライン６５及び取付部材６１を軸方向に挟み、そのフランジ部と固定外輪６８とのボルト結合によって、取付部材６１、駆動モータ６２および固定外輪６８とが一体化されている。
【００７７】
ウェイブジェネレータ６４は、径方向断面が楕円形のカム６４ａの外周にボールベアリング６４ｂの内輪を嵌合固定したものである。ウェイブジェネレータ６４は、中空の回り止め部材６９を介して駆動モータ６２の主軸６３に連結されている。ウェイブジェネレータ６４は、減速機構６０の入力側部材となる。
【００７８】
フレックススプライン６６は、金属弾性体で形成された薄肉カップ状の部品であって、その大径部の外周にサーキュラースプライン６５の内周の歯と噛み合う歯を有するものである。フレックススプライン６６は、その小径部（一端部）で逆入力遮断機構６７の入力部となる入力ピン７０と回転伝達可能に連結されている。フレックススプライン６６は、減速機構６０の出力側部材となる。
【００７９】
駆動モータ６２の駆動によりウェイブジェネレータ６４が回転すると、フレックススプライン６６の大径部の内周がボールベアリング６４ｂの外輪によって押圧される。これに伴い、フレックススプライン６６が、弾性変形してサーキュラースプライン６５との噛合位置を変えていくことにより、サーキュラースプライン６５との歯数の差分だけ回転する。その差分回転が逆入力遮断機構６７の入力ピン７０に伝達される。
【００８０】
ここで、駆動モータ６２のフランジ部の内周には、フレックススプライン６６の大径部の端面と摺接する位置に円筒状のガイド部材７１が固定されている。ガイド部材７１でフレックススプライン６６（およびその一端面に当接する逆入力遮断機構６７のロック解除片７２）の他端側への軸方向移動を規制することにより、回転伝達動作の安定性が確保されている。なお、フレックススプライン６６およびロック解除片７２の一端側への軸方向移動は、ロック解除片７２が逆入力遮断機構６７のカム部材７３に当接することにより規制されている。
【００８１】
カム部材７３は、逆入力遮断機構６７の出力部となる。入力ピン７０は、逆入力遮断機構６７の入力部となる。カム部材７３には、係合穴７３ａが設けられている。入力ピン７０の先端側外周にスリーブ７４が嵌合固定されている。そのスリーブ７４は、係合穴７３ａに周方向隙間をもって挿入されている。ロック解除片７２には、係合穴７２ａが設けられている。入力ピン７０の中央部は、係合穴７２ａに周方向隙間をもって挿入されている。ロック解除片７２の係合穴７２ａと、入力ピン７０の中央部との周方向隙間は、カム部材７３の係合穴７３ａとスリーブ７４との周方向隙間よりも狭く形成されている。これにより、駆動モータ６２の回転が減速機構６０で減速されて入力ピン７０に伝達されると、入力ピン７０の中央部がロック解除片７２の係合穴７２ａに係合してロック解除片７２を周方向に押し、ロック解除片７２がロック状態を解除した後に、入力ピン７０の先端側のスリーブ７４がカム部材７３の係合穴７３ａに係合してカム部材７３を周方向に押し、入力ピン７０の回転がカム部材７３に伝達されるようになっている。なお、このような減速機構６０と逆入力遮断機構６７自体は、公知であり、参照可能な文献として例えば、特開２０１５−２０６４５５号公報が挙げられる。
【００８２】
前述のカム部材７３と、被駆動部材に接続されるエンコーダ１３との間には、軸受２が設けられている。軸受２の外輪である第一部材３は、逆入力遮断機構６７の固定外輪６８にボルト結合されている。軸受２の内輪である第二部材４は、カム部材７３およびエンコーダ１３と一体回転するようにボルト結合されている。これにより、減速機全体のスラスト力に対する剛性が大きくなり、回転伝達動作の安定性が高くなっている。
【００８３】
カム部材７３と一体回転するエンコーダ１３の回転数や回転位置が、第三実施形態のように配置された磁気センサ素子５６等で検出される。演算処理装置（図示省略）は、その磁気センサ素子５６等の検出値を平均化することで得られた検出信号に基づいて目標回転数や目標位置との差を求め、その差に応じて駆動モータ６２を制御する。このため、回転位置や回転速度の精度向上が図れるようになっている。
【００８４】
このように、このアクチュエータは、第三実施形態に係る磁気式回転センサがカム部材７３（出力部）の回転を検出するので、アクチュエータとしての位置決め精度等の向上を図ることができる。また、このアクチュエータは、外部光やほこりの影響を無視できる磁気式回転センサでの採用により、接触シールでのセンサ防護を不要とし、ひいては、シールの取付け強度を得るために構造大型化や、シールの緊縛力によるトルクロスを無くすこともできる。なお、ノイズとなる外部磁界は、出力部と非接触のキャップ１４等を磁性体として遮断することが可能である。このアクチュータでは、第三実施形態の磁気式回転センサを採用したが、第一又は第二実施形態の磁気式回転センサを採用することも可能である。
【００８５】
今回開示された実施形態はすべての点で例示であって制限的なものではないと考えられるべきである。したがって、本発明の範囲は特許請求の範囲によって示され、特許請求の範囲と均等の意味および範囲内でのすべての変更が含まれることが意図される。
【符号の説明】
【００８６】
１  磁気式回転センサ
２  軸受
３  第一部材
４  第二部材
５  ローラ
１２  センサホルダ
１３  エンコーダ
１４  キャップ
１５，４０，５０  ハウジング部
１６  センサ基板部
１７  基板
１８，４４，４５，５６〜５９  磁気センサ素子
２５  ベース部
２６  外向きフランジ部
２７  磁気トラック部
３３  筒部
３４  内向きフランジ部
３５  ラビリンス通路
４２，４３，５２〜５５  センサ窓
７３  カム部材（出力部）
【図１】
2019060865.tif 000003
【図２】
2019060865.tif 000004
【図３】
2019060865.tif 000005
【図４】
2019060865.tif 000006
【図５】
2019060865.tif 000007
【図６】
2019060865.tif 000008
【図７】
2019060865.tif 000009